(57)【要約】【課題】商品展示台を必要とすることなく商品展示室に商品見本を展示することが可能な商品展示用保持具、および自動販売機の商品見本展示装置を提供する。【解決手段】外扉に画成された商品展示室４に商品見本９を展示する商品展示用保持具１１であって、前記商品展示用保持具１１を、商品見本９を保持する把持部１１３と当該把持部１１３から延在して商品選択ボタン５ａの取付金具５０に固着される固着部１１２とにより構成したことにより、前記商品展示用保持具１１により商品展示室４に商品見本９を展示することができるので、商品展示室４から商品展示台をなくすことができる。【選択図】図２
2010211392.tif 000002
【特許請求の範囲】
【請求項１】
外扉に画成され、かつ、前面が透明パネルにより覆われた商品展示室に商品見本を展示する商品展示用保持具であって、前記商品展示用保持具は商品見本を保持する把持部と当該把持部から延在して商品展示室に固着される固着部とからなることを特徴とする商品展示用保持具。
【請求項２】
外扉に画成され、かつ、前面が透明パネルにより覆われた商品展示室と、商品見本を把持する把持部と当該把持部から延在して商品展示室に固着される固着部とからなる商品展示用保持具とを備えた自動販売機の商品見本展示装置であって、前記商品展示用保持具の固着部を前記商品展示室の構成部材に固着するとともに前記商品展示用保持具の把持部に商品見本を保持して展示してなることを特徴とする自動販売機の商品見本展示装置。
【請求項３】
請求項２記載の自動販売機の商品見本展示装置において、商品展示室の構成部材は透明パネルの前面側に設けられた商品選択ボタンを当該透明パネルの背面側から支持する取付金具であることを特徴とする自動販売機の商品見本展示装置。
【発明の詳細な説明】
【技術分野】
【０００１】
本発明は、自動販売機の前面に画成された商品展示室に商品を展示する際に用いられる商品展示用保持具、及び商品を展示する自動販売機の商品見本展示装置に関する。
【背景技術】
【０００２】
この種の自動販売機として缶入り飲料，ペットボトル入り飲料等の商品を販売する一般的な自動販売機は断熱筐体としてなる本体ケースの前面に開閉自在な外扉が設けられ、当該外扉には複数の商品見本を展示する商品展示室が形成されている。この商品展示室の前面は商品見本を外部から視認できるように透明パネルで覆われ、前記展示室内には商品見本を載置して展示する商品展示台が配設されている。前記商品見本は缶入り飲料，ペットボトル入り飲料等の意匠を施した本体部の底部に嵌合部が形成されている。一方、前記商品見本を載置する商品展示台はその載置面には円形の開口部が穿孔されている。そして、前記商品見本の嵌合部を商品展示台の開口部に嵌合させることにより商品展示室に商品見本を展示するように構成されている（例えば、特許文献１）。なお、商品見本には缶入り飲料，ペットボトル入り飲料等の容器と同一の概観を呈する商品見本、若しくは前記容器を縦方向に半割りした形状の商品見本等がある。
【先行技術文献】
【特許文献】
【０００３】
【特許文献１】特許題２７１９５０１号公報
【発明の概要】
【発明が解決しようとする課題】
【０００４】
特許文献１に開示された自動販売機のように商品展示室内に商品見本を展示するために商品展示台が必要であり、しかも商品展示台にはその載置面に穿孔した開口部に嵌合可能な嵌合部を有する商品見本のみしか展示することができない。この場合、商品展示台の開口部に嵌合するアダプター部材を設け、このアダプター部材により商品見本を載置することも考えられるが、アダプター部材を追加せねばならないことからコストの増加を招来してしまう。
【０００５】
そこで、本発明は上記の点に鑑みなされたものであり、その目的は前記課題を解決し、嵌合部の形状が異なる商品見本を展示することが可能であり、商品展示台を必要とすることなく商品展示室に商品見本を展示することが可能な商品展示用保持具および自動販売機の商品見本展示装置を提供することをにある。
【課題を解決するための手段】
【０００６】
上記目的を達成するために請求項１に係る発明は、外扉に画成され、かつ、前面が透明パネルにより覆われた商品展示室に商品見本を展示する商品展示用保持具であって、前記商品展示用保持具は商品見本を保持する把持部と当該把持部から延在して商品展示室に固着される固着部とからなることを特徴とする。
また、請求項２に係る発明は、外扉に画成され、かつ、前面が透明パネルにより覆われた商品展示室と、商品見本を把持する把持部と当該把持部から延在して商品展示室に固着される固着部とからなる商品展示用保持具とを備えた自動販売機の商品見本展示装置であって、前記商品展示用保持具の固着部を前記商品展示室の構成部材に固着するとともに前記商品展示用保持具の把持部に商品見本を保持して展示してなることを特徴とする。
【０００７】
また、請求項３に係る発明は、請求項２記載の自動販売機の商品見本展示装置において、商品展示室の構成部材は透明パネルの前面側に設けられた商品選択ボタンを当該透明パネルの背面側から支持する取付金具であることを特徴とする。
【発明の効果】
【０００８】
本発明の請求項１に係る発明は、外扉に画成され、かつ、前面が透明パネルにより覆われた商品展示室に商品見本を展示する商品展示用保持具であって、前記商品展示用保持具を商品見本を保持する把持部と当該把持部から延在して商品展示室に固着される固着部とにより構成したことにより、商品展示台を用いることなく前記商品展示用保持具により商品展示室内に商品見本を展示することができるので部品点数を削減することが可能となるという効果を有する。また、従来では商品展示台の載置面に穿孔した開口部に嵌合するように形成された嵌合部を有する商品見本のみしか展示することができないのに対し、その嵌合部の形状が異なる商品見本をも展示することができる。さらに、商品展示用保持具を左右に傾斜させて固定、若しくは商品展示用保持具の把持部を水平線に対して傾斜させることによって商品見本を鉛直線に対して傾斜させて展示することも可能であり、商品見本の展示にバリエーションをもたせることができるという効果を有する。
【０００９】
また、本発明の請求項２に係る発明は、外扉に画成され、かつ、前面が透明パネルにより覆われた商品展示室と、商品見本を保持する把持部と当該把持部から延在して商品展示室に固着される固着部とからなる商品展示用保持具とを備えた自動販売機の商品見本展示装置であって、前記商品展示用保持具の固着部を前記商品展示室の構成部材に固着するとともに前記商品展示用保持具の把持部に商品見本を保持して展示してなることにより、商品展示室から商品展示台を削減できるので自動販売機を安価に提供することができるという効果を有する。
【００１０】
また、本発明の請求項３に係る発明は、請求項２記載の自動販売機の商品見本展示装置において、商品展示室の構成部材を透明パネルの前面側に設けられた商品選択ボタンを当該透明パネルの背面側から支持する取付金具としたことにより、商品選択ボタンを支持する取付金具を商品展示用保持具の固着用に兼用することができるという効果を有する。
【図面の簡単な説明】
【００１１】
【図１】本発明の実施の形態である自動販売機の全体構成を示す正面図である。
【図２】図１の商品展示室の主要部を示し、（ａ）はＡ−Ａ線断面図であり、（ｂ）は商品見本の背面図である。
【図３】本発明の実施の形態である商品展示用保持具の斜視図である。
【図４】本発明の実施の形態である商品展示用保持具の変形例を示す斜視図である。
【発明を実施するための形態】
【００１２】
以下、本発明における実施の形態である自動販売機を図面に基づいて説明する。図１は本発明の実施の形態である自動販売機の全体構成を示す。図において、１は前面が開放した断熱筐体として形成された本体キャビネットである。この本体キャビネット１の庫内は断熱仕切壁により左右方向に複数の商品収納室に区分され、各商品収納室には缶入り飲料，ペットボトル飲料等の商品を収容するとともにその下端に商品選択ボタンの操作により商品を搬出する商品払出機構を有する商品収納ラックが収設されている。また、各商品収納室の下部には当該各商品収納室を冷却もしくは加熱して商品収納ラックに収容した商品を冷蔵・温蔵状態に保存する冷却／加熱ユニットが配設されている。
【００１３】
図において、２は本体キャビネット１の前面に不図示のヒンジ機構により開閉自在に設けられた片開き式の外扉である。この外扉２の前面の上部域は透明パネル３で覆われた商品展示室４として形成されている。前記商品展示室４には本体キャビネット１の庫内に収容した商品に対応した複数の商品見本９が本発明にかかる商品展示用保持具（後述）により展示されている。前記透明パネル３の前面側には前記商品展示室４の幅方向（左右方向）に延在する商品選択ボタンユニット５が設けられ、この商品選択ボタンユニット５には左右方向に複数の商品選択ボタン５aが設けられている。前記外扉２における商品展示室４の下方右側領域には接客部６が設けられ、この接客部６には硬貨投入口６１、紙幣挿入口６２、返却レバー６３、投入金額，庫内温度，販売中，準備中等の各種情報をディスプレイに表示する販売情報表示部６４が組付けられている。また、外扉２における高さ方向中央であって右端側にはシリンダー錠付きの主ロック装置７が設けられている。そして、前記外扉２における商品展示室４の下方左側領域にはロゴタイプや広告情報を表示する広告展示部８が配設され、前記外扉２の下部領域には硬貨返却口２ａ、商品販売口２ｂが設けられている。
【００１４】
前記商品選択ボタンユニット５は良く知られているように合成樹脂により形成された横長帯状のベースとこのベースを覆う縦断面凸状のカバーからなり、前記ベースの背面側に透明パネル３を貫通するボスが形成されている。すなわち、図１のＡ−Ａ線断面である図２に示すように、前記商品選択ボタンユニット５には透明パネル３の穴３１を貫通する中空のボス５ｂが突設されており、このボス５ｂ内にインサートナット（不図示）が埋設されており、透明パネル３の背面側から取付金具５０を介してねじにより固着されている。また、前記商品選択ボタンユニット５には前記商品選択ボタン５aの押圧操作により作動するスイッチを実装した配線基板（不図示）が内蔵されており、前記配線基板に実装されたコネクタを介して制御回路と接続されている。前記取付金具５０は商品選択ボタンユニット５のコネクタと制御回路とを接続する配線５１を保持するために下部が略コ字形に形成されてなる。すなわち、取付金具５０は透明パネル３に当接する前面部５０ａと、この前面部５０ａから背面側にＬ字形に折り曲げられた底面部５０ｂと、この底面部５０ｂから上方に折り曲げられた側壁面部５０ｃからなる。この取付金具５０が商品展示室の構成部材を構成する。
【００１５】
前記取付金具５０の側壁面部５０ｃには本発明にかかる商品展示用保持具１１が取付けられている。前記商品展示用保持具１１は図３に示すように、短冊状の平板を四角形状に折り曲げて形成した本体金具１１１および本体金具１１１の一端側の内面に添うように折り曲げ形成されるとともに本体金具１１１に一体的に結合され、かつ、自由端側が山形に形成された係止金具１１２からなる。本体金具１１１の一端側の自由端が担持片１１１ａとして形成され、係止金具１１２の自由端が挟持片１１２ａとして形成され、当該担持片１１１ａと挟持片１１２ａとにより商品見本９を把持する把持部１１３を形成している。また、本体金具１１１の他端側はねじ穴１１１ｂが穿孔された固着部１１４として形成されている。
【００１６】
一方、前記商品展示用保持具１１に保持される商品見本９には、この実施の形態（図２の例）においては缶入り飲料の意匠を施した薄肉の合成樹脂成形品の本体部上縁に開口９ａを加工して前記商品展示用保持具１１により保持するようにしている（図２の（ｂ）参照）。すなわち、前記商品展示用保持具１１の担持片１１１ａを前記商品見本９の開口９ａに差し込む。この場合、前記商品展示用保持具１１の担持片１１１ａから挟持片１１２ａを引き離して挟持片１１２ａの自由端が商品見本９に当接しないように上方に退避させたうえで前記担持片１１１ａを前記商品見本９の開口９ａに差し込む。そして、挟持片１１２ａの山形の内壁に商品見本９の頭部端縁が当接するまで前記担持片１１１ａを前記商品見本９に差し込むと商品見本９は担持片１１１ａと挟持片１１２ａからなる把持部１１３により商品展示用保持具１１に保持される。このように把持部１１３に商品見本９を保持した商品展示用保持具１１の固着部１１４を取付金具５０の側壁面部５０ｃにねじ（不図示）により固着することにより商品見本９が商品展示室４内に展示される。なお、前記商品展示用保持具１１の取付金具５０への取付け位置は商品選択ボタンユニット５に設けられた複数の商品選択ボタン５aにそれぞれ対応した位置とするのがよい。
【００１７】
なお、図１に示した最上段の商品見本９については外扉２の窓に透明パネル３を取付けるためのパネル押え金具を利用して商品展示用保持具１１を固着するよう構成されている。前記パネル押え金具は良く知られているように、外扉２の背面側から透明パネル３の周縁を当該外扉２の窓縁との間に挟み付けて取付けるよう上下左右のパネル押え金具からなる。この実施の形態では上パネル押え金具に商品展示用保持具１１の固着部１１４を固着することにより商品見本９を展示している。前記パネル押え金具が商品展示室の構成部材を構成する。
【００１８】
次に、図４は商品展示用保持具の変形例を示す。この商品展示用保持具１２は図に示すように、短冊状の平板を上下方向に延在するように折り曲げて形成した本体金具１２１および本体金具１２１の一端側の内面に添うように折り曲げ形成されるとともに本体金具１２１に一体的に結合され、かつ、自由端側が山形に形成された係止金具１２２からなる。本体金具１２１の一端側の自由端が担持片１２１ａとして形成され、係止金具１２２の自由端が挟持片１２２ａとして形成され、当該担持片１２１ａと挟持片１２２ａとにより商品見本９を把持する把持部１２３を形成している。また、本体金具１２１の他端側はねじ穴１２１ｂが穿孔された固着部１２４として形成されている。
【００１９】
この図４に示した商品展示用保持具１２は次のような場合に用いられる。例えば、図１に示した自動販売機においては商品展示室４を構成する透明パネル３の上方域に広告若しくはロゴタイプが表示されていないタイプであるが、透明パネル３の上方域に広告若しくはロゴタイプを表示したタイプがあり、このタイプでは最上段の商品見本９から透明パネル３を取付ける上パネル押え金具までの距離が長くなる場合、若しくは図１に示した自動販売機では商品見本９の頭部を揃えて展示しているが、商品見本９の底部を揃えて展示する場合などである。
【００２０】
ここで、前述した実施の形態における商品展示用保持具１１，１２における係止金具１１２，１２２を板ばねで形成するのがよく、この場合には商品見本を頻繁に交換する場合にも商品展示用保持具を繰り返し使用することができるとともに商品見本を強固に保持することが可能となる。また、前記実施の形態における商品展示用保持具１１，１２の把持部１１３，１２３はその面が水平であって商品見本を鉛直線に沿って展示するように構成されているが、前記把持部１１３，１２３の面を水平面に対して傾斜させることもでき、この場合には商品見本を円直線に対して傾いた状態で展示することができる。商品見本を傾いた状態で展示する方法としては商品展示用保持具１１，１２自体を傾けてもよいものである。また、前述した実施の形態では商品展示用保持具１１，１２を金属材料により形成したものについて説明したが、合成樹脂により構成することもできるものであり実施の形態に限られるものではない。
【００２１】
前述したとおり本発明によれば、外扉２に画成された商品展示室４に商品見本９を展示する商品展示用保持具１１，１２であって、前記商品展示用保持具１１，１２を商品見本９を保持する把持部１１３，１２３と当該把持部１１３，１２３から延在して商品展示室４に固着される固着部１１２，１２２とにより構成したことにより、前記商品展示用保持具１１，１２により外扉２の商品展示室４に商品見本９を展示することができるので、前記商品展示室４から商品展示台をなくすことができ、部品点数を削減することが可能となるという効果を有する。また、従来では商品展示台の載置面に穿孔した開口部に嵌合するように形成された嵌合部を有する商品見本のみしか展示することができないのに対し、本発明によればその嵌合部の形状が異なる商品見本をも展示することができる。さらに、商品展示用保持具１１，１２を傾斜させて固定、若しくは商品展示用保持具１１，１２の把持部１１３，１２３を水平線に対して傾斜させることによって商品見本９を鉛直線に対して傾斜させて展示することも可能であるという効果を有する。
【００２２】
なお、前述した実施の形態においては商品展示用保持具の把持部により商品見本の頭部側を保持するものについて説明したが、商品見本の底部側を保持するようにすることもできるものであり、実施の形態に限定されるものではない。
【符号の説明】
【００２３】
１    本体キャビネット
２    外扉
３    透明パネル
４    商品展示室
５    商品選択ボタンユニット
５ａ    商品選択ボタン
８    広告展示部
９    商品見本
１１，１２    商品展示用保持具
５０    取付金具
１１３，１２３    把持部
１１４，１２４    固着部
【図１】
2010211392.tif 000003
【図２】
2010211392.tif 000004
【図３】
2010211392.tif 000005
【図４】
2010211392.tif 000006